(57)【要約】      （修正有）【課題】環状の弾性板で構成される枠の外周部に着脱可能な連結材を使用し、連結性能、機能拡張性能をもたせたパーテーションを提供する。【解決手段】環状の弾性板で構成される外枠１の外装に面ファスナーなどの連結材２を使用し、パーテーションに連結性や機能拡張性を持たせたものである。これによりパーテーション同士を自由に連結でき、且つ、連結材２により間仕切り面３表面に遮蔽素材や断熱素材など様々なものを装着できるので機能性を付加した空間を多彩に構築できる。区画用パーテーションとしての用途をはじめ、災害避難時の仮設テント、動植物の飼育ケース、子供の玩具、さらにレフ板、ソフトボックスなどの撮影機材として、様々な用途に利用できる。外枠１が環状の弾性板であるのでコンパクトに折り畳んで収納することが可能である。【選択図】図４
0003158644.tif 000002
【実用新案登録請求の範囲】
【請求項１】
環状の弾性板で構成される枠の外周部に連結材を使用し、複数連結可能なパーテーション。
【請求項２】
環状の弾性板で構成される枠の外周部に面ファスナーを使用し、複数連結可能なパーテーション。
【請求項３】
畳めるフレーム枠の外周部に連結材を使用し、複数連結可能なパーテーション。
【請求項４】
間仕切り面の材料をメッシュ生地にすることにより、通気性、防虫性の高い空間を構築できる請求項１、請求項２の特徴を有するパーテーション。
【請求項５】
請求項３の形状に遮光性の高い素材を装着することによりプライバシーを確保する請求項１、請求項２の特徴を有するパーテーション。
【請求項６】
間仕切り面の材料を透過性の高い生地にすることにより、光をソフトに和らげる撮影用道具となる請求項１、請求項２の特徴を有するパーテーション。
【請求項７】
立体的に連結することによりライトバンクになる請求項１、請求項２、請求項５、請求項６の特徴を有するパーテーション。
【考案の詳細な説明】
【技術分野】
【０００１】  本考案は、簡単に連結増設、機能拡張できるパーテーションに関するものである。
【背景技術】
【０００２】  様々なサイズ・素材を使ったパーテーションは各メーカーから多数販売されている。
【考案の概要】
【考案が解決しようとする課題】
【０００３】  しかし従来のものは似たような形状であっても製造メーカーにより規格・サイズが異なり、連結して使用することは難しい。また未使用時に収納スペースを多く必要とした。
【課題を解決するための手段】
【０００４】  本考案は、コンパクトに折り畳める環状の弾性板で構成される枠の外周部に着脱性能を有する連結材を使用し、パーテーションに連結性能、機能拡張性能、省スペース収納性をもたせたものである。
【考案の効果】
【０００５】  この考案により、パーテーションどうしを自由に連結でき、使用目的に応じ様々な形状に仕切られた空間を簡単に構築できる。図３のようにパーテーション１枚でも補助脚を連結すれば自立可能であり、図４のように連結補助材４を用いて二次元連結すればパーテーションを容易に拡張できる。図５、図６のように三次元連結すれば目的に応じて様々な形状の空間を構築できる。またパーテーションどうしだけでなく、連結材２により間仕切り面３表面にも様々なものが装着可能になるため、パーテーションにいろいろな機能をもたせることができる。
【考案を実施するための最良の形態】
【０００６】  本考案の本体構成部品は図１、図２のように環状の弾性板１、着脱性能を有する連結材２、間仕切り面３から構成される。図４に掲載の連結補助材４を使うことにより連結が可能になる。弾性板の材料は鉄、アルミ、ステンレス鋼、プラスチックをはじめ、屈曲に強く形状を保とうとする素材が理想的である。該パーテーションどうしを連結する方式は、面ファスナー、伸縮性を有する面ファスナー、ファスナー、磁石、粘着テープ方式などがあるが、使用環境、目的に応じ、それらを組み合わせた着脱方式が特に望ましい。
【図面の簡単な説明】
【０００７】
【図１】本考案の正面図である。
【図２】本考案の枠部周辺の拡大断面図である。
【図３】本考案に補助脚を装着した時の図である。
【図４】本考案を二次元連結した図である。
【図５】本考案を三次元連結した例１の図である。
【図６】本考案を三次元連結した例２の図である。
【図７】本考案の形状バリエーション例の図である。
【図８】本考案の収納時の図である。
【図９】本考案を密閉した際の図である。
【実施例】
【０００８】  以下、連結材２に面ファスナーを使った例をもとに実施例を説明する。まず遮光性の高い生地を間仕切り面３表面に装着して他人の視線を遮るプライバシー保護用パーテーションとしての用途が考えられる。また、その構成でパーテーションを複数立体連結して暗室の構築も可能である。その場合、パーテーション同士の隙間は図９のように四角形もしくは三角形の面ファスナーで封鎖する。【０００９】  間仕切り面３にメッシュ生地を利用すれば通気性・防虫性を有した空間を構築することができ、植物や動物の飼育ケースなどに使用できる。連結増設可能なので対象物に合った空間サイズが構築可能であり、動植物の成長繁殖に応じて増設できる。【００１０】  断熱効果の高い素材を間仕切り面３表面に装着すれば保温性を高めた空間が構築でき、災害非難時の仮設パーテーション、テントなどに応用できる。連結増設できる特性を活かし、図６のように、家族構成、収容人数に応じて様々なサイズの区画を自由に構築できる。高いプライバシーが求められる授乳室や医務室、トイレ用途には全面を密閉連結することにより対応できる。従来のダンボール材を利用した仮設パーテーションに比べ、本考案は暑さ寒さへの対処ができ、天板部分にもパーテーションが連結でき、汚れた場合には水などで洗浄できるので繰り返し衛生的に使え、快適性とプライバシーが確保できる極めて理想的なパーテーションである。【００１１】  本考案のパーテーション角部は丸みのある形状で枠自体に弾性があり、さらに連結材２により発砲ゴムなどの緩衝材を角部に簡単に装着できるので、接触した際に安全であり、子供の玩具としても理想的である。【００１２】  銀や白などの光反射効果の強い生地を間仕切り面３表面に装着することにより撮影用反射板（レフ板）や、複数枚連結してライトバンク（ソフトボックス）などの照明機材としても使用することができる。また間仕切り面３に乳白色の透過性のある生地を使えば照明補助器具のディフューザーとしても使用できる。【００１３】  市販の面ファスナーを用い、磨耗しやすい枠外縁部を簡単に補強もしくは補修できるので高い耐久性を実現でき経済的である。【００１４】  外枠１が環状の弾性板のため、枠を３６０度捻れば図８のように３層の輪状となり、面積比約１／７まで折り畳むことができ、収納スペースを大幅に節約することが可能である。
【符号の説明】
【００１５】１．外枠
２．連結材
３．間仕切り面
４．連結補助材
【図１】
0003158644.tif 000003
【図２】
0003158644.tif 000004
【図３】
0003158644.tif 000005
【図４】
0003158644.tif 000006
【図５】
0003158644.tif 000007
【図６】
0003158644.tif 000008
【図７】
0003158644.tif 000009
【図８】
0003158644.tif 000010
【図９】
0003158644.tif 000011
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
間仕切り面とその外周に環状の弾性板の枠で構成され、枠の外周部に連結材を設けることで複数連結することが出来るパーテーション。
【請求項２】
間仕切り面とその外周に環状の弾性板の枠で構成され、枠の外周部に面ファスナーを設けることで複数連結することが出来るパーテーション。
【請求項３】
間仕切り面とその外周に環状の弾性板の枠で構成され、枠の外周部に伸縮性のある面ファスナーを設けることで複数連結することが出来るパーテーション。
【請求項４】
間仕切り面の材料をメッシュ生地にすることにより、通気性、防虫性の高い空間を構築できることを特徴とする請求項１、請求項２、請求項３のいずれか１項に記載のパーテーション。
【請求項５】
間仕切り面に遮光性の高い素材を装着することにより高いプライバシーを確保することを特徴とする請求項１、請求項２、請求項３のいずれか１項に記載のパーテーション。
【請求項６】
間仕切り面の材料を透過性の高い生地にすることにより撮影用ディヒューザーとなることを特徴とする請求項１、請求項２、請求項３のいずれか１項に記載のパーテーション。
【請求項７】
立体的に連結することにより撮影用ライトバンクになることを特徴とする請求項１、請求項２、請求項３のいずれか１項に記載のパーテーション。
【手続補正２】
【補正対象書類名】明細書
【補正対象項目名】００１１
【補正方法】変更
【補正の内容】
【００１１】本考案のパーテーション角部は丸みのある形状で枠自体に弾性があり、さらに連結材２により発泡ゴムなどの緩衝材を角部に簡単に装着できるので、接触した際に安全であり、子供の玩具としても理想的である。